(57)【要約】      （修正有）【課題】適切に原子炉をスクラムさせることができる出力監視システムを提供する。【解決手段】少なくとも第１系および第２系から構成され、それぞれが、複数のＡＰＲＭユニットと、複数のＦＬＯＷユニットと、複数のＯＰＲＭユニットと、を備える出力監視システムが提供される。ＡＰＲＭユニットのそれぞれは、原子炉炉心の中性子の局所的な出力を示すＬＰＲＭ信号を生成するとともに、ＬＰＲＭ信号に基づいて炉心の平均出力を示すＡＰＲＭ信号を生成する。ＦＬＯＷユニットのそれぞれは、原子炉冷却材の流量を示すＦＬＯＷ信号を生成する。ＯＰＲＭユニットのそれぞれは、少なくとも２つのＡＰＲＭユニットからＬＰＲＭ信号およびＡＰＲＭ信号が供給されるとともに、少なくとも１つのＦＬＯＷユニットからＦＬＯＷ信号が供給され、供給されるＬＰＲＭ信号、ＡＰＲＭ信号およびＦＬＯＷ信号に基づいて、原子炉をスクラムさせるためのトリップ信号を生成する。【選択図】図１
2014126431.tif 000002
【特許請求の範囲】
【請求項１】
少なくとも第１系および第２系から構成される出力監視システムであって、前記第１系および前記第２系のそれぞれは、
複数のＡＰＲＭユニットと、
複数のＦＬＯＷユニットと、
複数のＯＰＲＭユニットと、を備え、
前記ＡＰＲＭユニットのそれぞれは、原子炉炉心の中性子の局所的な出力を示すＬＰＲＭ信号を生成するとともに、前記ＬＰＲＭ信号に基づいて前記原子炉炉心の平均出力を示すＡＰＲＭ信号を生成し、
前記ＦＬＯＷユニットのそれぞれは、原子炉冷却材の流量を示すＦＬＯＷ信号を生成し、
前記ＯＰＲＭユニットのそれぞれは、少なくとも２つの前記ＡＰＲＭユニットから前記ＬＰＲＭ信号および前記ＡＰＲＭ信号が供給されるとともに、少なくとも１つの前記ＦＬＯＷユニットから前記ＦＬＯＷ信号が供給され、供給されるＬＰＲＭ信号、ＡＰＲＭ信号およびＦＬＯＷ信号に基づいて、原子炉をスクラムさせるためのトリップ信号を生成するか否かを判断し、生成すると判断した場合に前記トリップ信号を生成することを特徴とする出力監視システム。
【請求項２】
前記ＯＰＲＭユニットのそれぞれは、少なくとも２つの前記ＦＬＯＷユニットから前記ＦＬＯＷ信号が供給されることを特徴とする請求項１に記載の出力監視システム。
【請求項３】
前記ＡＰＲＭユニットのそれぞれは、少なくとも２つの前記ＦＬＯＷユニットから前記ＦＬＯＷ信号が供給され、供給される前記ＦＬＯＷ信号のうちの１つを、前記ＯＰＲＭユニットに供給することを特徴とする請求項１に記載の出力監視システム。
【請求項４】
前記ＡＰＲＭユニットのそれぞれは、
供給元のすべての前記ＦＬＯＷユニットが正常でない場合、原子炉冷却材流量を判定不能である旨の情報を前記ＯＰＲＭユニットに供給し、
供給元の１または複数の前記ＦＬＯＷユニットが正常である場合、前記ＦＬＯＷ信号のうち値が最も小さい前記ＦＬＯＷ信号を前記ＯＰＲＭユニットに供給することを特徴とする請求項３に記載の出力監視システム。
【請求項５】
少なくとも第１系および第２系から構成される出力監視システムであって、前記第１系および前記第２系のそれぞれは、
複数のＡＰＲＭユニットと、
少なくとも１つのＦＬＯＷユニットと、
複数のＯＰＲＭユニットと、を備え、
前記ＡＰＲＭユニットのそれぞれは、原子炉炉心の中性子の局所的な出力を示すＬＰＲＭ信号を生成するとともに、前記ＬＰＲＭ信号に基づいて前記原子炉炉心の平均出力を示すＡＰＲＭ信号を生成し、
前記ＦＬＯＷユニットのそれぞれは、原子炉冷却材の流量を示すＦＬＯＷ信号を生成し、
前記ＯＰＲＭユニットのそれぞれは、同系内の少なくとも２つのＡＰＲＭユニットから前記ＬＰＲＭ信号および前記ＡＰＲＭ信号が供給されるとともに、同系内の前記ＦＬＯＷユニットおよび他系内の前記ＦＬＯＷユニットの少なくとも一方から前記ＦＬＯＷ信号が供給され、供給されるＬＰＲＭ信号、ＡＰＲＭ信号およびＦＬＯＷ信号に基づいて、原子炉をスクラムさせるためのトリップ信号を生成するか否かを判断し、生成すると判断した場合に前記トリップ信号を生成することを特徴とする出力監視システム。
【請求項６】
前記ＡＰＲＭユニットのそれぞれは、同系内の少なくとも１つの前記ＦＬＯＷユニットおよび他系内の少なくとも１つの前記ＦＬＯＷユニットから前記ＦＬＯＷ信号が供給され、供給される前記ＦＬＯＷ信号のうちの１つを、前記ＯＰＲＭユニットに供給することを特徴とする請求項５に記載の出力監視システム。
【請求項７】
前記ＡＰＲＭユニットのそれぞれは、
供給元のすべての前記ＦＬＯＷユニットが正常でない場合、原子炉冷却材流量を判定不能である旨の情報を前記ＯＰＲＭユニットに供給し、
供給元の１または複数の前記ＦＬＯＷユニットが正常である場合、前記ＦＬＯＷ信号のうち値が最も小さい前記ＦＬＯＷ信号を前記ＯＰＲＭユニットに供給することを特徴とする請求項６に記載の出力監視システム。
【請求項８】
前記ＦＬＯＷユニットは、同系内の前記ＡＰＲＭユニットのそれぞれに前記ＦＬＯＷ信号を供給するとともに、前記ＡＰＲＭユニットを介することなく他系内の前記ＯＰＲＭユニットに前記ＦＬＯＷ信号を供給し、
前記ＡＰＲＭユニットのそれぞれは、供給される前記ＦＬＯＷ信号を、同系内の前記ＯＰＲＭユニットのそれぞれに供給することを特徴とする請求項５に記載の出力監視システム。
【請求項９】
前記ＯＰＲＭユニットは、供給される少なくとも２つの前記ＡＰＲＭ信号のうち、正常である前記ＡＰＲＭユニットから供給されるＡＰＲＭ信号に基づいて、前記トリップ信号を生成するか否かを判断することを特徴とする請求項１乃至８のいずれかに記載の出力監視システム。
【請求項１０】
前記ＡＰＲＭユニットのそれぞれは、自身が正常であるか否かを示す第１の診断情報を、前記ＡＰＲＭ信号とともに生成し、
前記ＯＰＲＭユニットは、前記第１の診断情報に基づいて、前記ＡＰＲＭ信号の供給元である前記ＡＰＲＭユニットが正常であるか否かを判断することを特徴とする請求項９に記載の出力監視システム。
【請求項１１】
前記ＯＰＲＭユニットは、２以上の正常である前記ＡＰＲＭユニットから前記ＡＰＲＭ信号が供給される場合、値が最も大きい前記ＡＰＲＭ信号に基づいて、前記トリップ信号を生成するか否かを判断することを特徴とする請求項９または１０に記載の出力監視システム。
【請求項１２】
前記ＯＰＲＭユニットは、少なくとも２つの前記ＦＬＯＷ信号が供給される場合、正常である前記ＦＬＯＷユニットから供給されるＦＬＯＷ信号に基づいて、前記トリップ信号を生成するか否かを判断することを特徴とする請求項１乃至１１のいずれかに記載の出力監視システム。
【請求項１３】
前記ＦＬＯＷユニットのそれぞれは、自身が正常であるか否かを示す第２の診断情報を、前記ＦＬＯＷ信号とともに生成し、
前記ＯＰＲＭユニットは、前記第２の診断情報に基づいて、前記ＦＬＯＷ信号の供給元である前記ＦＬＯＷユニットが正常であるか否かを判断することを特徴とする請求項１２に記載の出力監視システム。
【請求項１４】
前記ＯＰＲＭユニットは、２以上の正常である前記ＦＬＯＷユニットから前記ＦＬＯＷ信号が供給される場合、値が最も小さい前記ＦＬＯＷ信号に基づいて、前記トリップ信号を生成するか否かを判断することを特徴とする請求項１２または１３に記載の出力監視システム。
【請求項１５】
前記ＡＰＲＭ信号、前記ＬＰＲＭ信号および前記ＦＬＯＷ信号の少なくとも一部を、光信号として各ユニット間で伝送することを特徴とする請求項１乃至１４のいずれかに記載の出力監視システム。
【発明の詳細な説明】
【技術分野】
【０００１】
本発明の実施形態は、出力監視システムに関する。
【背景技術】
【０００２】
沸騰水型原子炉においては、ボイド発生による出力低下と、ボイドの消滅による出力上昇とが繰り返され、原子炉出力が増幅的に振動する出力振動が発生する可能性がある。そのため、このような出力振動が検知された場合、トリップ信号を生成して原子炉をスクラムさせる必要がある。トリップ信号を生成するためには、ＡＰＲＭユニットやＦＬＯＷユニットといったユニットにより生成された信号が用いられる。
【先行技術文献】
【特許文献】
【０００３】
【特許文献１】米国特許第５，１７４，９４６号明細書
【発明の概要】
【発明が解決しようとする課題】
【０００４】
上記のユニットは必ずしも常に正常に動作しているとは限らず、メンテナンスや故障により停止することもある。ユニットが停止した場合にトリップ信号を適切に生成できないと、原子炉を安全に保護することが困難になるという問題があった。
【０００５】
そこで、本発明は、適切に原子炉をスクラムさせることができる出力監視システムを提供することを目的とする。
【課題を解決するための手段】
【０００６】
本発明の実施形態は、少なくとも第１系および第２系から構成される出力監視システムであって、前記第１系および前記第２系のそれぞれは、複数のＡＰＲＭユニットと、複数のＦＬＯＷユニットと、複数のＯＰＲＭユニットと、を備え、前記ＡＰＲＭユニットのそれぞれは、原子炉炉心の中性子の局所的な出力を示すＬＰＲＭ信号を生成するとともに、前記ＬＰＲＭ信号に基づいて前記原子炉炉心の平均出力を示すＡＰＲＭ信号を生成し、前記ＦＬＯＷユニットのそれぞれは、原子炉冷却材の流量を示すＦＬＯＷ信号を生成し、前記ＯＰＲＭユニットのそれぞれは、少なくとも２つの前記ＡＰＲＭユニットから前記ＬＰＲＭ信号および前記ＡＰＲＭ信号が供給されるとともに、少なくとも１つの前記ＦＬＯＷユニットから前記ＦＬＯＷ信号が供給され、供給されるＬＰＲＭ信号、ＡＰＲＭ信号およびＦＬＯＷ信号に基づいて、原子炉をスクラムさせるためのトリップ信号を生成するか否かを判断し、生成すると判断した場合に前記トリップ信号を生成することを特徴とする出力監視システムが提供される。
【０００７】
また、本発明の実施形態は、少なくとも第１系および第２系から構成される出力監視システムであって、前記第１系および前記第２系のそれぞれは、複数のＡＰＲＭユニットと、少なくとも１つのＦＬＯＷユニットと、複数のＯＰＲＭユニットと、を備え、前記ＡＰＲＭユニットのそれぞれは、原子炉炉心の中性子の局所的な出力を示すＬＰＲＭ信号を生成するとともに、前記ＬＰＲＭ信号に基づいて前記原子炉炉心の平均出力を示すＡＰＲＭ信号を生成し、前記ＦＬＯＷユニットのそれぞれは、原子炉冷却材の流量を示すＦＬＯＷ信号を生成し、前記ＯＰＲＭユニットのそれぞれは、同系内の少なくとも２つのＡＰＲＭユニットから前記ＬＰＲＭ信号および前記ＡＰＲＭ信号が供給されるとともに、同系内の前記ＦＬＯＷユニットおよび他系内の前記ＦＬＯＷユニットの少なくとも一方から前記ＦＬＯＷ信号が供給され、供給されるＬＰＲＭ信号、ＡＰＲＭ信号およびＦＬＯＷ信号に基づいて、原子炉をスクラムさせるためのトリップ信号を生成するか否かを判断し、生成すると判断した場合に前記トリップ信号を生成することを特徴とする出力監視システムが提供される。
【図面の簡単な説明】
【０００８】
【図１】第１の実施形態に係る原子炉の出力監視システムの概略構成を示すブロック図。
【図２】各ＯＰＲＭユニットに供給される信号の供給元を示す図。
【図３】第２の実施形態に係る原子炉の出力監視システムの概略構成を示すブロック図。
【図４】各ＯＰＲＭユニットに供給される信号の供給元を示す図。
【図５】第３の実施形態に係る原子炉の出力監視システムの概略構成を示すブロック図。
【図６】各ＯＰＲＭユニットに供給される信号の供給元を示す図。
【図７】第４の実施形態に係る原子炉の出力監視システムの概略構成を示すブロック図。
【図８】各ＯＰＲＭユニットに供給される信号の供給元を示す図。
【図９】第５の実施形態に係る原子炉の出力監視システムの概略構成を示すブロック図。
【図１０】各ＯＰＲＭユニットに供給される信号の供給元を示す図。
【発明を実施するための形態】
【０００９】
以下、実施形態について、図面を参照しながら具体的に説明する。
【００１０】
（第１の実施形態）
図１は、第１の実施形態に係る沸騰水型原子炉（以下、単に原子炉という）の出力監視システムの概略構成を示すブロック図である。本出力監視システムはＡ系およびＢ系の２系統から構成される。Ａ系およびＢ系の少なくとも一方が正常に動作していれば、言い換えると、仮に一方が故障したとしても、原子炉を安全に保護することができる。
【００１１】
出力監視システムのＡ系は、１つの局部出力監視装置（Local Power Range Monitor、以下、ＬＰＲＭユニットという）１Ａと、３つの平均出力監視装置（Average Power Range Monitor、以下、ＡＰＲＭユニットという）２Ａａ〜２Ａｃと、２つの流量監視装置（以下、ＦＬＯＷユニットという）３Ａａ，３Ａｂと、２つの出力振動監視装置（Oscillation Power Range Monitor、以下、ＯＰＲＭユニットという）４Ａａ，４Ａｂとを備えている。
【００１２】
同様に、出力監視システムのＢ系は、１つのＬＰＲＭユニット１Ｂと、３つのＡＰＲＭユニット２Ｂａ〜２Ｂｃと、２つのＦＬＯＷユニット３Ｂａ，３Ｂｂと、２つのＯＰＲＭユニット４Ｂａ，４Ｂｂとを備えている。
【００１３】
本実施形態ではＡ系およびＢ系が同様の構成であるため、以下ではＡ系について主に説明する。
【００１４】
ＬＰＲＭユニット１Ａは、原子炉炉心の中性子の局所的な出力を示すＬＰＲＭ信号を生成する。ＬＰＲＭ信号を生成する機能は局部出力監視機能と呼ばれる。
【００１５】
ＡＰＲＭユニット２Ａａ〜２Ａｃは、ＬＰＲＭ信号を生成するのに加え、生成したＬＰＲＭ信号に基づいて原子炉炉心全体の平均的な出力を示すＡＰＲＭ信号を生成する。ＡＰＲＭ信号を生成する機能は平均出力監視機能と呼ばれる。また、ＡＰＲＭユニット２Ａａ〜２Ａｃは、自己診断機能を有し、自身の故障やバイパス（後述）を検知し、自身が正常に動作しているか否かを示す診断情報を生成する。
【００１６】
なお、ＬＰＲＭユニットとＡＰＲＭユニットとをまとめて監視ユニットともいう。
【００１７】
ＦＬＯＷユニット３Ａａ，３Ａｂは、原子炉冷却材の流量を算出し、この流量を示すＦＬＯＷ信号を生成する。また、ＦＬＯＷユニット３Ａａ，３Ａｂは、自己診断機能を備え、自身の故障やバイパス（後述）を検知し、自身が正常に動作しているか否かを示す診断情報を生成する。
【００１８】
ＯＰＲＭユニット４Ａａ，４Ａｂは、ＬＰＲＭ信号、ＡＰＲＭ信号およびＦＬＯＷ信号に基づいて、原子炉炉心の出力振動を監視する。
【００１９】
図２は、各ＯＰＲＭユニットに供給される信号の供給元を示す図である。図示のように、ＯＰＲＭユニット４Ａａは、ＡＰＲＭユニット２Ａａ，２ＡｃからＡＰＲＭ信号を受信し、ＡＰＲＭユニット２Ａａ，２ＡｃからＬＰＲＭ信号を受信し、ＦＬＯＷユニット３Ａａ，３ＡｂからＦＬＯＷ信号を受信する。また、ＯＰＲＭユニット４Ａｂは、ＡＰＲＭユニット２Ａｂ，２ＡｃからＡＰＲＭ信号を受信し、ＡＰＲＭユニット２Ａｂ，２ＡｃおよびＬＰＲＭユニット１ＡからＬＰＲＭ信号を受信し、ＦＬＯＷユニット３Ａａ，３ＡｂからＦＬＯＷ信号を受信する。
【００２０】
続いて、ＬＰＲＭユニット１ＡおよびＡＰＲＭユニット２Ａａ〜２Ａｃについて、より具体的に説明する。
【００２１】
本実施形態の原子炉は７６４本の燃料集合体を有するものと仮定する。原子炉における中性子の局所的な分布を検知するために、４３本の局部出力領域モニタ検出器集合体（不図示。以下、ＬＰＲＭストリングという）が、原子炉炉心内に配置されている。そして、各ＬＰＲＭストリングには４個のＬＰＲＭ検出器が組み込まれている。すなわち、合計１７２個のＬＰＲＭ検出器が設けられている。
【００２２】
これらＬＰＲＭ検出器から出力される中性子信号は、８つの監視ユニット（すなわち、Ａ系内の１つのＬＰＲＭユニット１Ａおよび３つのＡＰＲＭユニット２Ａａ〜２Ａｃ、ならびに、Ｂ系内の１つのＬＰＲＭユニット１Ｂおよび３つのＡＰＲＭユニット２Ｂａ〜２Ｂｃ）に分配される。
【００２３】
中性子信号を受信した監視ユニットは、検出器の位置のそれぞれの局所的な出力を示すＬＰＲＭ信号を生成する。８つの監視ユニットのうち、６つのＡＰＲＭユニット２Ａａ〜２Ａｃ，２Ｂａ〜２Ｂｃは、自装置で算出したＬＰＲＭ信号が示す値を平均し、原子炉炉心全体の平均的な出力を示すＡＰＲＭ信号を生成する。
【００２４】
なお、ＬＰＲＭ信号は原子炉炉心内の局所的な出力を示すので、ＬＰＲＭ検出器の位置によって、互いに異なることもある。これに対してＡＰＲＭ信号は平均値であるので、いずれのＡＰＲＭユニットによって生成されたＡＰＲＭ信号もほぼ等しい値を示す。
【００２５】
各ＡＰＲＭユニットは、ＡＰＲＭ信号の値が異常に上昇するのを検知した場合、原子炉保護系（Reactor Protection System、以下、ＲＰＳという）に第１トリップ信号ＴＲ１を送信する。第１トリップ信号ＴＲ１により原子炉はスクラムされる。第１トリップ信号ＴＲ１を送信する閾値は、ＦＬＯＷユニットが生成するＦＬＯＷ信号に基づいて設定される。
【００２６】
次に、ＦＬＯＷユニットについて、より具体的に説明する。
【００２７】
ＦＬＯＷユニット３Ａａ，３Ａｂは原子炉の各再循環ループに設置された差圧伝送器からの信号を受信する。ＦＬＯＷユニット３Ａａ，３Ａｂは、差圧伝送器からの信号を、冷却材流量を示す流量信号に変換する。さらに、ＦＬＯＷユニット３Ａａ，３Ａｂは、流量信号に基づいて、再循環ループにおける冷却材流量の総和を算出し、所定の定格炉心流量によって規格化することにより流量信号（すなわちＦＬＯＷ信号）を生成する。
【００２８】
ＦＬＯＷ信号はＡＰＲＭユニット２Ａａ〜２Ａｃに供給され、第１トリップ信号ＴＲ１を送信する際の閾値設定に使用される。また、ＦＬＯＷ信号はＯＰＲＭユニット４Ａａ，４Ａｂにも供給される。
【００２９】
次に、ＯＰＲＭユニット４Ａａ，４Ａｂについて、より具体的に説明する。
【００３０】
ＯＰＲＭユニット４Ａａ，４Ａｂは、互いに異なるＬＰＲＭ信号を、ＬＰＲＭユニット１Ａおよび／またはＡＰＲＭユニット２Ａａ〜２Ａｃから受信する。図１および図２の例では、ＯＰＲＭユニット４Ａａは、ＡＰＲＭユニット２Ａａ，２Ａｃから合計２つのＬＰＲＭ信号を受信し、ＯＰＲＭユニット４ＡｂはＬＰＲＭユニット１ＡおよびＡＰＲＭユニット２Ａｂ，２Ａｃから合計３つのＬＰＲＭ信号を受信する。
【００３１】
そして、ＯＰＲＭユニット４Ａａ，４Ａｂは、ＯＰＲＭセルと呼ばれるグループ単位にまとめてＬＰＲＭ信号を平均化および規格化し、複数のＯＰＲＭセル信号を生成する。そして、ＯＰＲＭユニット４Ａａ，４Ａｂは各ＯＰＲＭセル信号の値の変動を監視し、ＯＰＲＭセル信号の値の少なくとも１つで出力振動を検出すると、ＲＰＳに第２トリップ信号ＴＲ２を生成して送信する。原子炉出力が増幅的に振動するのを防ぐためである。第２トリップ信号ＴＲ２により原子炉はスクラムされる。
【００３２】
ただし、原子炉出力が十分に低い場合、または、原子炉冷却材流量が十分に高い場合、原子炉出力が増幅的に振動することは考えにくい。よって、ＯＰＲＭユニット４Ａａ，４Ａｂは、原子炉出力を示すＡＰＲＭ信号（あるいはＡＰＲＭ信号に基づく原子熱出力を模擬した信号）の値と、原子炉冷却材流量を示すＦＬＯＷ信号の値とを考慮して、第２トリップ信号ＴＲ２を送信するか否かを判断する。
【００３３】
そのために、ＯＰＲＭユニット４Ａａは、ＡＰＲＭユニット２Ａａ，２ＡｃからＡＰＲＭ信号を受信するとともに、ＦＬＯＷユニット３Ａａ，３ＡｂからＦＬＯＷ信号を受信している。また、ＯＰＲＭユニット４Ａｂは、ＡＰＲＭユニット２Ａｂ，２ＡｃからＡＰＲＭ信号を受信するとともに、ＦＬＯＷユニット３Ａａ，３ＡｂからＦＬＯＷ信号を受信している。
【００３４】
そして、ＯＰＲＭユニット４Ａａ，４Ａｂは、ＡＰＲＭ信号に基づいて「原子炉出力が高い」と判断され、かつ、ＦＬＯＷ信号に基づいて「原子炉冷却材流量が低い」と判断される場合に、ＯＰＲＭセル信号の値に出力振動が検知されると、第２トリップ信号ＴＲ２を生成してＲＰＳに送信する。言い換えると、原子炉出力が所定の閾値より低い場合、および、原子炉冷却流量が所定の閾値より高い場合、第２トリップ信号ＴＲ２は生成されない。
【００３５】
本実施形態は、特に第２トリップ信号ＴＲ２の生成に関連するものである。
【００３６】
なお、電気的な故障がユニット間で伝搬するのを防止するために、各信号をデジタル信号とし電気−光変換を行い、光ファイバケーブルにより各ユニット間での光信号伝送を行うのが望ましい。
【００３７】
ここで、ＡＰＲＭユニット２Ａａ〜２Ａｃは常に正常に動作しているとは限らない。例えば、ＡＰＲＭユニット２Ａａ〜２Ａｃは、故障する可能性もあるし、メンテナンス時に停止されることもある。メンテナンス時にはＡＰＲＭユニットをバイパスする必要がある。
【００３８】
そのため、出力監視システムにはＡＰＲＭバイパススイッチ（不図示）が設けられている。そして、Ａ系のうちの１つのＡＰＲＭユニット、および／または、Ｂ系のうちの１つのＡＰＲＭユニットを選択してバイパスすることができる。選択されたＡＰＲＭユニットにはバイパス信号が入力され、ＲＰＳへ影響を与えることがないよう、第１トリップ信号ＴＲ１を送信しない。また、選択されたＡＰＲＭユニットは正常なＡＰＲＭ信号およびＬＰＲＭ信号を生成しない。
【００３９】
ここで、本実施形態では、Ａ系内の２つのＯＰＲＭユニット４Ａａ，４Ａｂに対して、これより１つ多い３つのＡＰＲＭユニット２Ａａ〜２Ａｃが設けられる。そして、本実施形態の特徴の１つとして、上述したように、ＯＰＲＭユニット４Ａａは２つのＡＲＰＭユニット２Ａａ，２ＡｃからＬＰＲＭ信号を受信し、ＯＰＲＭユニット４ＡｂはＬＰＲＭユニット１Ａおよび２つのＡＲＰＭユニット２Ａｂ，２ＡｃからＬＰＲＭ信号を受信する。すなわち、１つのＯＰＲＭユニットが複数のＬＰＲＭ信号を受信する。
【００４０】
よって、ＯＰＲＭユニット４Ａａ，４Ａｂは、１つのＡＰＲＭユニットがバイパスされた場合でも、他のＡＰＲＭユニットまたはＬＰＲＭユニット１ＡからのＬＰＲＭ信号からＯＰＲＭセル信号を生成できる。
【００４１】
例えば、ＡＰＲＭユニット２Ａａがバイパスされた場合（故障などにより正常に動作しない場合も含む、以下同じ）でも、ＯＰＲＭユニット４ＡａはＡＰＲＭユニット２ＡｃからのＬＰＲＭ信号に基づいてＯＰＲＭセル信号を生成できる。また、ＡＰＲＭユニット２Ａｂがバイパスされた場合でも、ＯＰＲＭユニット４ＡｂはＡＰＲＭユニット２ＡｃまたはＬＰＲＭユニット１ＡからのＬＰＲＭ信号に基づいてＯＰＲＭセル信号を生成できる。さらに、ＡＰＲＭユニット２Ａｃがバイパスされた場合でも、ＯＰＲＭユニット４ＡａはＡＰＲＭユニット２Ａａに基づいてＯＰＲＭセル信号を生成できるし、ＯＰＲＭユニット４ＡｂはＡＰＲＭユニット２ＡｂまたはＬＰＲＭユニット１ＡからのＬＰＲＭ信号に基づいてＯＰＲＭセル信号を生成できる。
【００４２】
このように、１つのＡＰＲＭユニットがバイパスされた場合でも、ＯＰＲＭユニット４Ａａ，４Ａｂは正しくＯＰＲＭセル信号が生成され、出力振動の検知に用いることができる。
【００４３】
また、ＡＲＰＭユニット２Ａａ〜２ＡｃはＡＰＲＭ信号に加えて上述の診断情報をＯＰＲＭユニットに供給する。本実施形態の特徴の１つとして、やはり、ＯＰＲＭユニット４Ａａは２つのＡＲＰＭユニット２Ａａ，２ＡｃからＡＰＲＭ信号およびＡＲＰＭユニット自身の診断情報を受信し、ＯＰＲＭユニット４Ａｂは２つのＡＲＰＭユニット２Ａｂ，２ＡｃからＡＰＲＭ信号およびＡＲＰＭユニット自身の診断情報を受信する。すなわち、１つのＯＰＲＭユニットが２つのＡＰＲＭ信号を受信する。
【００４４】
ＯＰＲＭユニット４Ａａ，４Ａｂは、受信した２つのＡＰＲＭ信号に付随する診断情報が、いずれも正常であることを示している場合、２つのＡＰＲＭ信号のうち値が大きい方のＡＰＲＭ信号に基づいて、原子炉出力が高いか否かを判断する。
【００４５】
一方、ＯＰＲＭユニット４Ａａ，４Ａｂは、受信した２つのＡＰＲＭ信号に付随する診断情報のうちの一方が正常でないことを示している場合、正常であることを示すＡＰＲＭユニットから供給されたＡＰＲＭ信号に基づいて、原子炉出力が高いか否かを判断する。
【００４６】
このように、１つのＡＰＲＭユニットがバイパスされた場合でも、ＯＰＲＭユニット４Ａａ，４Ａｂは正しく原子炉出力が高いか否かを判断でき、第２トリップ信号ＴＲ２の生成に使用できる。
【００４７】
なお、仮に、受信した２つのＡＰＲＭ信号に付随する診断情報がいずれも正常でないことを示している場合、ＯＰＲＭユニット４Ａａ，４Ａｂは、判断不能として、安全のために第２トリップ信号ＴＲ２を生成する。
【００４８】
また、ＦＬＯＷユニット３Ａａ，３Ａｂも、常に正常に動作しているとは限らない。よって、出力監視システムにはＦＬＯＷバイパススイッチ（不図示）が設けられている。そして、Ａ系のうちの１つのＦＬＯＷユニット、および／または、Ｂ系のうちの１つのＦＬＯＷユニットを選択してバイパスすることができる。選択されたＦＬＯＷユニットは正常なＦＬＯＷ信号を生成しない。
【００４９】
本実施形態では、Ａ系内に２つのＦＬＯＷユニット３Ａａ，３Ａｂが設けられる。そして、ＦＬＯＷユニット３Ａａ，３Ａｂは２つのＯＰＲＭユニット４Ａａ，４ＡｂにＦＬＯＷ信号および診断情報を供給する。言い換えると、ＯＰＲＭユニット４Ａａ，４Ａｂは、２つのＦＬＯＷユニット３Ａａ，３ＡｂからＦＬＯＷ信号および診断情報を受信する。
【００５０】
ＯＰＲＭユニット４Ａａ，４Ａｂは、受信した２つのＦＬＯＷ信号に付随する診断情報が、いずれも正常であることを示している場合、２つのＦＬＯＷ信号のうち値が小さい方のＦＬＯＷ信号に基づいて、原子炉冷却材流量が低いか否かを判断する。
【００５１】
一方、ＯＰＲＭユニット４Ａａ，４Ａｂは、受信した２つのＦＬＯＷ信号に付随する診断情報のうちの一方が正常でないことを示している場合、正常であることを示すＦＬＯＷユニットから供給されたＦＬＯＷ信号に基づいて、原子炉冷却材流量が低いか否かを判断する。
【００５２】
このように、１つのＦＬＯＷユニットがバイパスされた場合でも、ＯＰＲＭユニット４Ａａ，４Ａｂは正しく原子炉冷却材流量が低いか否かを判断でき、第２トリップ信号ＴＲ２の生成に使用できる。
【００５３】
なお、仮に、受信した２つのＦＬＯＷ信号に付随する診断情報がいずれも正常でないことを示している場合、ＯＰＲＭユニット４Ａａ，４Ａｂは、判断不能として、安全のために第２トリップ信号ＴＲ２を生成する。
【００５４】
以上のようにして、ＡＰＲＭユニットの１つ、あるいは、ＦＬＯＷユニットの１つが故障やバイパスで正常に動作しない場合でも、ＯＰＲＭユニットは正しいＡＰＲＭ信号、ＬＰＲＭ信号およびＦＬＯＷ信号を受信でき、第２トリップ信号ＴＲ２の生成に用いることができる。
【００５５】
このように、第１の実施形態では、１つのＯＰＲＭユニットに複数のＡＰＲＭ信号および複数のＦＬＯＷ信号を供給する。そのため、ＡＰＲＭユニットの１つ、あるいは、ＦＬＯＷユニットの１つが正常に動作しない場合であっても、ＯＰＲＭ機能は維持され、適切にトリップ信号を生成できる。
【００５６】
すなわち、原子炉運転中にＡＰＲＭユニットまたはＦＬＯＷユニットのバイパスを行ってもＯＰＲＭ機能は喪失せず、安全機能が維持される。よって、ＡＰＲＭユニットまたはＦＬＯＷユニットをバイパスする際にＯＰＲＭユニットをバイパスする必要はない。結果として、ＯＰＲＭユニットの監視員の負担を軽減できる。
【００５７】
（第２の実施形態）
上述した第１の実施形態は、ＦＬＯＷユニット３Ａａ，３ＡｂからＯＰＲＭユニット４Ａａ，４Ａｂへ直接ＦＬＯＷ信号を供給するものであった。これに対し、以下に説明する第２の実施形態では、ＦＬＯＷユニットからＯＰＲＭユニットへ、ＡＰＲＭユニットを介して、ＦＬＯＷ信号を供給するものである。
【００５８】
図３は、第２の実施形態に係る原子炉の出力監視システムの概略構成を示すブロック図である。図４は、各ＯＰＲＭユニットに供給される信号の供給元を示す図である。以下、第１の実施形態との相違点を中心に説明する。
【００５９】
ＦＬＯＷユニット３Ａａ，３ＡｂはＦＬＯＷ信号および診断情報をＡＰＲＭユニット２Ａａ〜２Ａｃに供給する。
【００６０】
ＡＰＲＭユニット２Ａａは、受信した２つのＦＬＯＷ信号に付随する診断情報が、いずれも正常であることを示している場合、２つのＦＬＯＷ信号のうち値が小さい方のＦＬＯＷ信号をＯＰＲＭユニット４Ａａに供給する。
【００６１】
一方、ＡＰＲＭユニット２Ａａは、受信した２つのＦＬＯＷ信号に付随する診断情報のうちの一方が正常でないことを示している場合、正常であることを示すＦＬＯＷユニットから供給されたＦＬＯＷ信号をＯＰＲＭユニット４Ａａに供給する。
【００６２】
仮に、受信した２つのＦＬＯＷ信号に付随する診断情報が、いずれも正常でないことを示している場合、ＡＰＲＭユニット２Ａａは、原子炉冷却材流量を判定不能である旨を、ＯＰＲＭユニット４Ａａに供給する。
【００６３】
ＡＰＲＭユニット２Ａｂは信号の供給先がＯＰＲＭユニット４Ａｂであること、ＡＰＲＭユニット２Ａｃは信号の供給先がＯＰＲＭユニット４Ａａ，４Ａｂであることを除き、ＡＰＲＭユニット２Ａｂ，２Ａｃの処理動作はＡＰＲＭユニット２Ａａと同様である。
【００６４】
本実施形態における図４は、第１の実施形態における図２におけるＦＬＯＷ信号の供給元が若干異なる。すなわち、ＯＰＲＭユニット４Ａａ，４Ａｂは、ＦＬＯＷユニット３Ａａ，３Ａｂが生成するＦＬＯＷ信号のうちの一方、すなわち、正常である方、または、値が小さい方を受信する。ただし、複数のＡＰＲＭユニットからＯＰＲＭユニットへＦＬＯＷ信号を供給すること自体は第１の実施形態と同様である。その他は図２と同様であるので詳細な説明を省略する。
【００６５】
結果的に、ＯＰＲＭユニット４Ａａは、ＡＰＲＭユニット２ＡａからＡＰＲＭ信号、診断情報、ＬＰＲＭ信号および１つのＦＬＯＷ信号（または原子炉冷却材流量を判定不能である旨の情報）を受信するとともに、ＡＰＲＭユニット２Ａｃからも、ＡＰＲＭ信号、診断情報、ＬＰＲＭ信号および１つのＦＬＯＷ信号（または原子炉冷却材流量を判定不能である旨の情報）を受信する。ＯＰＲＭユニット４Ａｂも同様である。
【００６６】
ＯＰＲＭユニット４Ａａ，４Ａｂは、原子炉冷却材流量を判定不能である旨を受信した場合、安全のために第２トリップ信号を生成してＲＰＳに送信する。原子炉冷却材流量を判定不能である旨の情報を受信しない場合は以下のようにする。
【００６７】
ＯＰＲＭユニット４Ａａ，４Ａｂは、受信した２つのＡＰＲＭ信号に付随する診断情報が、いずれも正常であることを示している場合、２つのＡＰＲＭ信号のうち値が大きい方のＡＰＲＭ信号に基づいて原子炉出力が高いか否かを判断するとともに、ＦＬＯＷ信号に基づいて原子炉冷却材流量が低いか否かを判断する。
【００６８】
一方、ＯＰＲＭユニット４Ａａ，４Ａｂは、受信した２つのＡＰＲＭ信号に付随する診断情報のうちの一方が正常でないことを示している場合、当該正常でないＡＰＲＭユニットから供給されるＡＰＲＭ信号およびＦＬＯＷ信号を使用することはできない。よって、ＯＰＲＭユニット４Ａａ，４Ａｂは、正常である他方のＡＰＲＭユニットから供給されるＡＰＲＭ信号に基づいて原子炉出力が高いか否かを判断するとともに、ＦＬＯＷ信号に基づいて原子炉冷却材流量が低いか否かを判断する。
【００６９】
なお、仮に、受信した２つのＡＰＲＭ信号に付随する診断情報がいずれも正常でないことを示している場合、ＯＰＲＭユニット４Ａａ，４Ａｂは、判断不能として、安全のために第２トリップ信号ＴＲ２を生成してＲＰＳに送信する。
【００７０】
このように、第２の実施形態では、第１の実施形態と同様に、ＡＰＲＭユニットの１つ、あるいは、ＦＬＯＷユニットの１つが正常に動作しない場合であっても、ＯＰＲＭ機能は維持され、適切にトリップ信号を生成できる。さらに、第２の実施形態では、ＦＬＯＷユニットからＯＰＲＭユニットへ、ＡＰＲＭユニットを介してＦＬＯＷ信号を供給することにより、ＯＰＲＭユニットとＡＰＲＭユニットとでＦＬＯＷ信号を共有する。よって、ＦＬＯＷユニットとＯＰＲＭユニットとの間でのＦＬＯＷ信号の取り合いを増設する必要がなく、配線数を減らしてハードウェア構成を簡易化できる。
【００７１】
（第３の実施形態）
上述した第１および第２の実施形態は、Ａ系およびＢ系のそれぞれが、２つのＦＬＯＷユニットを備えるものであった。これに対し、以下に説明する第３の実施形態では、Ａ系およびＢ系のそれぞれが、１つのＦＬＯＷユニットを備えるものである。
【００７２】
図５は、第３の実施形態に係る原子炉の出力監視システムの概略構成を示すブロック図である。また、図６は、各ＯＰＲＭユニットに供給される信号の供給元を示す図である。以下、第１の実施形態との相違点を中心に説明する。
【００７３】
本実施形態では、出力監視システムのＡ系は、１つのＦＬＯＷユニット３Ａを備えている。ＦＬＯＷユニット３Ａは、ＯＰＲＭユニット４Ａａ，４Ａｂのみならず、Ｂ系のＯＰＲＭユニット４Ｂａ，４Ｂｂにも、ＦＬＯＷ信号を供給する。同様に、出力監視システムのＢ系は、１つのＦＬＯＷユニット３Ｂを備えている。ＦＬＯＷユニット３Ｂは、ＯＰＲＭユニット４Ｂａ，４Ｂｂのみならず、Ａ系のＯＰＲＭユニット４Ａａ，４Ａｂにも、ＦＬＯＷ信号を供給する。
【００７４】
よって、本実施形態でも、１つのＯＰＲＭユニットは２つのＦＬＯＷユニット３Ａ，３ＢからＦＬＯＷ信号を受信する。Ａ系からＢ系へ、または、Ｂ系からＡ系へＦＬＯＷ信号を伝送する場合、Ａ系とＢ系とを電気的に分離するため、光ファイバケーブルを用いるのが望ましい。もちろん、Ａ系内およびＢ系内での信号伝送に光ファイバケーブルを用いてもよい。
【００７５】
本実施形態でも、Ａ系のＡＰＲＭユニット２Ａａ〜２Ａｃのうちの１つをバイパスできることは、第１の実施形態と同様である。
【００７６】
そして、本実施形態では、Ａ系およびＢ系のそれぞれが１つずつのＦＬＯＷユニットしか備えていないにも関わらず、いずれか一方をバイパスすることができる。
【００７７】
すなわち、ＯＰＲＭユニット４Ａａ，４Ａｂは、受信した２つのＦＬＯＷ信号に付随する診断情報が、いずれも正常であることを示している場合、２つのＦＬＯＷ信号のうち値が小さい方のＦＬＯＷ信号に基づいて、原子炉冷却材流量が低いか否かを判断する。
【００７８】
一方、ＯＰＲＭユニット４Ａａ，４Ａｂは、受信した２つのＦＬＯＷ信号に付随する診断情報のうちの一方が正常でないことを示している場合、正常であることを示すＦＬＯＷユニットから供給されるＦＬＯＷ信号に基づいて、原子炉冷却材流量が低いか否かを判断する。
【００７９】
このように、１つのＦＬＯＷユニットがバイパスされた場合でも、ＯＰＲＭユニット４Ａａ，４Ａｂは正しく原子炉冷却材流量が低いか否かを判断でき、第２トリップ信号ＴＲ２の生成に使用できる。
【００８０】
なお、仮に、受信した２つのＦＬＯＷ信号に付随する診断情報がいずれも正常でないことを示している場合、ＯＰＲＭユニット４Ａａ，４Ａｂは、判断不能として、安全のために第２トリップ信号ＴＲ２を生成してＲＰＳに送信する。
【００８１】
このように、第３の実施形態では、第１の実施形態と同様に、ＡＰＲＭユニットの１つが正常に動作しない場合であっても、ＯＰＲＭ機能は維持され、適切にトリップ信号を生成できる。さらに、第３の実施形態では、Ａ系のＦＬＯＷユニット３ＡからＢ系のＯＰＲＭユニット４Ｂａ，４ＢｂにＦＬＯＷ信号を供給するとともに、Ｂ系のＦＬＯＷユニット３ＢからＡ系のＯＰＲＭユニット４Ａａ，４ＡｂにＦＬＯＷ信号を供給する。そのため、各系にＦＬＯＷユニットを１つしか設けない出力監視システムにおいて、１つの系におけるＦＬＯＷユニットが正常に動作しない場合であっても、他系のＦＬＯＷユニットを利用することでＯＰＲＭ機能は維持され、適切にトリップ信号を生成できる。
【００８２】
（第４の実施形態）
上述した第３の実施形態は、ＦＬＯＷユニット３Ａ，３ＢからＯＰＲＭユニット４Ａａ，４Ａｂ，４Ｂａ，４Ｂｂへ直接ＦＬＯＷ信号を供給するものであった。これに対し、以下に説明する第４の実施形態では、ＦＬＯＷユニットからＯＰＲＭユニットへ、ＡＰＲＭユニットを介して、ＦＬＯＷ信号を供給するものである。すなわち、第３の実施形態に第２の実施形態の構成を適用したものである。
【００８３】
図８は、第４の実施形態に係る原子炉の出力監視システムの概略構成を示すブロック図である。図９は、各ＯＰＲＭユニットに供給される信号の供給元を示す図である。以下、第２，３の実施形態との相違点を中心に説明する。
【００８４】
ＦＬＯＷユニット３Ａ，３Ｂは６つのＡＰＲＭユニット２Ａａ〜２Ａｃ，２Ｂａ〜２ＢｃにＦＬＯＷ信号および診断情報を供給する。
【００８５】
ＡＰＲＭユニット２Ａａは、受信した２つのＦＬＯＷ信号に付随する診断情報が、いずれも正常であることを示している場合、２つのＦＬＯＷ信号のうち値が小さい方のＦＬＯＷ信号をＯＰＲＭユニット４Ａａに供給する。
【００８６】
一方、ＡＰＲＭユニット２Ａａは、受信した２つのＦＬＯＷ信号に付随する診断情報のうちの一方が正常でないことを示している場合、正常であることを示すＦＬＯＷユニットから供給されたＦＬＯＷ信号をＯＰＲＭユニット４Ａａに供給する。
【００８７】
仮に、受信した２つのＦＬＯＷ信号に付随する診断情報が、いずれも正常でないことを示している場合、ＡＰＲＭユニット２Ａａは、原子炉冷却材流量を判定不能である旨を、ＯＰＲＭユニット４Ａａに供給する。
【００８８】
他のＡＰＲＭユニット２Ａｂ，２Ａｃ，２Ｂａ〜２Ｂｃの処理動作も、信号の供給先以外はＡＰＲＭユニット２Ａａとほぼ同様である。なお、Ａ系からＢ系へ、または、Ｂ系からＡ系へＦＬＯＷ信号を伝送する場合、Ａ系とＢ系とを電気的に分離するため、光ファイバケーブルを用いるのが望ましい。
【００８９】
ＯＰＲＭユニットは、他の実施形態と同様に、ＡＰＲＭ信号、ＬＰＲＭ信号およびＦＬＯＷ信号に基づいて、第２トリップ信号ＴＲ２を生成する。また、ＯＰＲＭユニットは、原子炉冷却材流量を判定不能である旨の情報を受信した場合も、第２トリップ信号ＴＲ２を生成する。
【００９０】
このように、第４の実施形態では、第１の実施形態と同様に、ＡＰＲＭユニットの１つ、あるいは、ＦＬＯＷユニットの１つが正常に動作しない場合であっても、ＯＰＲＭ機能は維持され、適切にトリップ信号を生成できる。また、第３の実施形態と同様に、各系にＦＬＯＷユニットを１つしか設けない出力監視システムにおいて、１つ系におけるＦＬＯＷユニットが正常に動作しない場合であっても、他系のＦＬＯＷユニットを利用することでＯＰＲＭ機能は維持され、適切にトリップ信号を生成できる。さらに、第４の実施形態では、ＦＬＯＷユニットからＯＰＲＭユニットへ、ＡＰＲＭユニットを介してＦＬＯＷ信号を供給することにより、ＯＰＲＭユニットとＡＰＲＭユニットとでＦＬＯＷ信号を共有する。よって、ＦＬＯＷユニットとＯＰＲＭユニットとの間でのＦＬＯＷ信号の取り合いを増設する必要がなく、配線数を減らしてハードウェア構成を簡易化できる。
【００９１】
（第５の実施形態）
以下に説明する第５の実施形態は、同系内においてはＦＬＯＷユニットからＯＰＲＭユニットへ、ＡＰＲＭユニットを介してＦＬＯＷ信号を供給し、他系にはＦＬＯＷユニットからＯＰＲＭユニットへ直接ＦＬＯＷ信号を供給するものである。
【００９２】
図９は、第５の実施形態に係る原子炉の出力監視システムの概略構成を示すブロック図である。また、図１０は、各ＯＰＲＭユニットに供給される信号の供給元を示す図である。以下、第３，４の実施形態との相違点を中心に説明する。
【００９３】
ＦＬＯＷユニット３Ａは、Ａ系内の３つのＡＰＲＭユニット２Ａａ〜２ＡｃにＦＬＯＷ信号および診断情報を供給するとともに、Ｂ系内の２つのＯＰＲＭユニット４Ｂａ，４ＢｂにＦＬＯＷ信号および診断情報を供給する。また、ＦＬＯＷユニット３Ｂは、Ｂ系内の３つのＡＰＲＭユニット２Ｂａ〜２ＢｃにＦＬＯＷ信号を供給するとともに、Ａ系内の２つのＯＰＲＭユニット４Ａａ，４ＡｂにＦＬＯＷ信号を供給する。
【００９４】
ＡＰＲＭユニット２Ａａは、受信したＦＬＯＷ信号に付随する診断情報が正常であることを示している場合、ＦＬＯＷ信号をＯＰＲＭユニット４Ａａに供給する。一方、ＡＰＲＭユニット２Ａａは、受信したＦＬＯＷ信号に付随する診断情報が正常でないことを示している場合、原子炉冷却材流量を判定不能である旨を、ＯＰＲＭユニット４Ａａに供給する。
【００９５】
ＡＰＲＭユニット２Ａｂは信号の供給先がＯＰＲＭユニット４Ａｂであること、ＡＰＲＭユニット２Ａｃは信号の供給先がＯＰＲＭユニット４Ａａ，４Ａｂであることを除き、ＡＰＲＭユニット２Ａｂ，２Ａｃの処理動作はＡＰＲＭユニット２Ａａと同様である。
【００９６】
ＯＰＲＭユニット４Ａａは、ＡＰＲＭユニット２Ａａ，２Ａｃを介してＡ系のＦＬＯＷユニット３ＡからＦＬＯＷ信号を受信するとともに、Ｂ系のＦＬＯＷユニット３Ｂから直接ＦＬＯＷ信号および診断情報を受信する。また、ＯＰＲＭユニット４Ａａは、ＡＰＲＭユニット２Ａａ，２ＡｃからＡＰＲＭ信号および診断情報も受信する。
【００９７】
ＯＰＲＭユニット４Ａａは、診断情報が正常であることを示しているＡＰＲＭユニットやＦＬＯＷユニットから供給されるＦＬＯＷ信号のうち、最も値が小さいＦＬＯＷ信号に基づいて、原子炉冷却材流量が低いか否かを判断する。また、ＯＰＲＭユニット４Ａａは、すべての診断情報が正常でないことを示している場合や、原子炉冷却材流量を判定不能である場合、安全のために、第２トリップ信号ＴＲ２を生成してＲＰＳに送信する。
【００９８】
ＯＰＲＭユニット４Ａｂも同様である。
【００９９】
このように、第５の実施形態では、第１の実施形態と同様に、ＡＰＲＭユニットの１つ、あるいは、ＦＬＯＷユニットの１つが正常に動作しない場合であっても、ＯＰＲＭ機能は維持され、適切にトリップ信号を生成できる。また、第３の実施形態と同様に、各系にＦＬＯＷユニットを１つしか設けない出力監視システムにおいて、１つ系におけるＦＬＯＷユニットが正常に動作しない場合であっても、他系のＦＬＯＷユニットを利用することでＯＰＲＭ機能は維持され、適切にトリップ信号を生成できる。さらに、第５の実施形態では、同系内においてはＦＬＯＷユニットからＯＰＲＭユニットへ、ＡＰＲＭユニットを介してＦＬＯＷ信号を供給し、他系にはＦＬＯＷユニットからＯＰＲＭユニットへ直接ＦＬＯＷ信号を供給するため、取り合いの数をさらに少なくすることができ、配線数を減らしてハードウェア構成を簡易化できる。
【０１００】
なお、以上説明した出力監視システムの構成は例に過ぎない。例えば、ＬＰＲＭユニット、ＡＰＲＭユニット、ＦＬＯＷユニット、ＯＰＲＭユニットの数を適宜変更してもよいし、ＬＰＲＭユニットを省略してＡＰＲＭユニットが生成するＬＰＲＭ信号のみを用いるようにしてもよい。
【０１０１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０２】
１Ａ，１Ｂ  ＬＰＲＭユニット
２Ａａ〜２Ａｃ，２Ｂａ〜２Ｂｃ  ＡＰＲＭユニット
３Ａ，３Ａａ，３Ａｂ，３Ｂａ，３Ｂｂ  ＦＬＯＷユニット
４Ａａ，４Ａｂ，４Ｂａ，４Ｂｂ  ＯＰＲＭユニット
【図１】
2014126431.tif 000003
【図２】
2014126431.tif 000004
【図３】
2014126431.tif 000005
【図４】
2014126431.tif 000006
【図５】
2014126431.tif 000007
【図６】
2014126431.tif 000008
【図７】
2014126431.tif 000009
【図８】
2014126431.tif 000010
【図９】
2014126431.tif 000011
【図１０】
2014126431.tif 000012